(57)【特許請求の範囲】
【請求項１】
流しのゴミ受けカゴの上部に設けられ、前記ゴミ受けカゴに連通する複数の排水用孔を底部に有する菊割れフタと、この菊割れフタに対し着脱自在に設置されるカートリッジと、このカートリッジ内に収容されたヌメリ除去剤とからなり、前記流しを流れる排水が前記カートリッジ内へ流入するための入口とヌメリ除去液が前記カートリッジ内から流出するための出口とを、いずれも前記カートリッジの側面中央部に対向させた状態で設けてあり、さらに、前記カートリッジは、前記排水用孔の直下で、かつ、前記菊割れフタの前記底部の下面側に設置されていることを特徴とするヌメリ除去機構。
【請求項２】
前記カートリッジは、有底筒状で、胴部に前記入口および出口を有する嵌め込み式の樹脂製小容器を有し、かつ、この小容器は、上部材および下部材で二分割されている請求項１に記載のヌメリ除去機構。
【請求項３】
前記排水が前記排水用孔から前記入口を通って前記カートリッジ内に至る流路と、前記ヌメリ除去液が前記出口を経て前記ゴミ受けカゴに至るヌメリ除去液流路とが構成されている請求項１または請求項２に記載のヌメリ除去機構。
【請求項４】
前記カートリッジは、前記出口から流出したヌメリ除去液を前記ゴミ受けカゴの側面部および底面部に案内するための案内部材を有する請求項１ないし請求項３のいずれかに記載のヌメリ除去機構。
【発明の詳細な説明】
【０００１】
【発明の属する技術分野】
この発明は、流しのゴミ受けカゴのヌメリを除去するためのヌメリ除去機構に関するものである。
【０００２】
【従来の技術】
流しの排水口に設置されるゴミ受けカゴのヌメリを除去するヌメリ除去部材として、ゴミ受けカゴの上部に設けられる菊割れフタに対し着脱自在に設置できるカセット枠体がある。
【０００３】
【発明が解決しようとする課題】
ところで、菊割れフタにはゴミ受けカゴに連通する複数の排水用孔が形成されているが、これら排水用孔を利用してヌメリ除去液を得るタイプのヌメリ除去部材はなかった。
【０００４】
この発明は、菊割れフタの排水用孔を利用してヌメリ除去液を得ることができるヌメリ除去機構を提供することを目的とする。
【０００５】
【課題を解決するための手段】
上記目的を達成するために、この発明のヌメリ除去機構は、流しのゴミ受けカゴの上部に設けられ、前記ゴミ受けカゴに連通する複数の排水用孔を底部に有する菊割れフタと、この菊割れフタに対し着脱自在に設置されるカートリッジと、このカートリッジ内に収容されたヌメリ除去剤とからなり、前記流しを流れる排水が前記カートリッジ内へ流入するための入口とヌメリ除去液が前記カートリッジ内から流出するための出口とを、いずれも前記カートリッジの側面中央部に対向させた状態で設けてあり、さらに、前記カートリッジは、前記排水用孔の直下で、かつ、前記菊割れフタの前記底部の下面側に設置されている。
【０００６】
【発明の実施の形態】
以下にこの発明の実施の形態について説明する。なお、この発明はそれによって限定されるものではない。
【０００７】
図１〜図５は、流しを流れる排水がカートリッジ内へ流入するための入口とヌメリ除去液がカートリッジ内から流出するための出口とを、いずれもカートリッジの側面中央部に対向させた状態で設けてあるこの発明の第１の実施形態を示す。
【０００８】
図１〜図５において、１は、菊割れフタで、流しの排水口内に嵌め込まれるゴミ受けカゴ２の上部に設けられる。このゴミ受けカゴ２は、上方開口２ａを有する有底の筒状で、胴部（側面部）および底面部（図示せず）を有している。
【０００９】
菊割れフタ１は、複数の菊割れ舌片３で構成される平面視円形の底部Ａと、上方開口４ａを形成する縦断面略門型の環状枠部４とより主としてなる。前記舌片３は、下面ｍ側に径方向に形成されたリブ３ａ，３ｂを有する。また、前記底部Ａは、中心部に丸孔７を有するとともに、ゴミ受けカゴ２の上方開口２ａに連通する複数の第１の排水用長孔６ａを菊割れ舌片３，３間に有し、更に、ゴミ受けカゴ２に連通する複数の第２の排水用長孔６ｂを舌片３に形成された前記リブ３ｂに有する。第２の排水用長孔６ｂの大きさは第１の排水用長孔６ａよりも小さく設定されている。そして、前記第１，第２の排水用長孔６ａ，６ｂは、円周方向よりも径方向に長い。
【００１０】
以下、この発明の特徴的構成について説明する。
【００１１】
１０は、ヌメリ除去部材で、菊割れフタ３に対し着脱自在に設置される樹脂製のカートリッジ１１と、このカートリッジ１１内に収容された複数の粒状（円板状）のヌメリ除去剤１２とから主としてなる。この実施形態では前記カートリッジ１１を前記下面ｍ側からみて十字の位置に配置している。すなわち、この実施形態では４個のヌメリ除去部材１０を菊割れフタ３のリブ３ｂに設けている。
【００１２】
更に、前記カートリッジ１１は、前記排水用孔６ｂの直下で、かつ、前記舌片３の下面ｍ側に設置されている。すなわち、前記リブ３ｂを有する舌片３の下面ｍ側において、前記リブ３ｂにカートリッジ嵌め込み用の凹所１３を設け、この凹所１３にカートリッジ１１を設置してある。また、舌片３は、下面ｍ側に凹所１３を挟む形でカートリッジ保持用の係合部１５を一対有する。
【００１３】
前記カートリッジ１１は、有底筒状で、ヌメリ除去剤１２が収容される嵌め込み式の小容器よりなるカートリッジ本体１１ａと、側面視略へ字形で、ヌメリ除去液をゴミ受けカゴの側面部２ｂおよび底面部に案内するためにカートリッジ本体１１ａの長手方向（両矢印Ｑで示す方向）に沿って設けられた左右一対の案内部材１１ｂと、前記係合部１５に係止可能で縮めることにより復元力を生じる形状に形成された一対の可撓性の係止片１１ｃと、カートリッジ本体１１ａ内に立設されているスペーサ１１ｄとよりなる。前記各案内部材１１ｂは、同一形状をしており、平面視細長の長方形の薄い板体をへ字形に折り曲げたような形をしている。また、カートリッジ本体１１ａは、複数個のヌメリ除去剤１２が収容可能かつ交換可能なように、接着剤Ｓによって接着されるか、あるいは、図示しない係止部材によって互いに着脱自在に係止する上部材１８および下部材１９で二分割されている。
【００１４】
この実施形態では前記係止片１１ｃは上部材１８のＱ方向における端面部１８ａ，１８ａから連設されている。また、前記案内部材１１ｂ，１１ｂは、下部材１９の胴面Ｎ1 の所定高さの位置で、かつ、Ｑ方向に沿う形で設けられている。前記案内部材１１ｂ，１１ｂと下部材１９とスペーサ１１ｄは一体成形されている。そして、上部材１８の胴面Ｎ2 の上向き稜線部２９を平坦な前記下面ｍに沿わす形で前記カートリッジ本体１１ａはヌメリ除去剤１２が収容された形で凹所１３内に嵌め込まれるとともに、係合部１５に設けた嵌め込み孔１５ａに係止片１１ｃの先端部を挿通させ、この先端部に設けた爪Ｔを係合部１５に係止させることにより、凹所１３内に前記カートリッジ本体１１ａを弾性的に嵌合保持させることができる。
なお、下部材１９の胴面Ｎ1 と上部材１８の胴面Ｎ2 は同一円周上にある。そして、胴面Ｎ1 と胴面Ｎ2 とでカートリッジ本体１１ａの胴面Ｎが構成される。
【００１５】
また、この実施形態では前記スペーサ１１ｄは、下部材１９の内側に設けられている。前記スペーサ１１ｄは、複数のヌメリ除去剤１２を縦置き状態で載置するとともに、位置決めするための平坦な載置面２０を有する。この載置面２０は複数の仕切り部２１を所定間隔で有する。この仕切り部２１は、縦置き状態で載置面２０に載置されたヌメリ除去剤１２同士を位置決めするとともに、ヌメリ除去剤１２同士を仕切る機能を有する。
【００１６】
３０は、流しを流れる排水がカートリッジ本体１１ａに流入するための丸孔形状の入口で、カートリッジ本体１１ａに複数個形成されている。また、３１は、前記入口３０からカートリッジ本体１１ａ内に流入した排水にヌメリ除去剤１２が溶けてなるヌメリ除去液が、カートリッジ本体１１ａから案内部材１１ｂを通ってゴミ受けカゴ２の胴部（側面部）２ｂおよび底部に向かって流出するための丸孔形状の出口である。この出口３１もカートリッジ本体１１ａに複数個形成されている。
【００１７】
前記入口３０と前記出口３１は、いずれも前記カートリッジ本体１１ａの側面中央部（胴面Ｎの中央部）に上下に対向させた状態で設けてある。
【００１８】
すなわち、前記入口３０は、前記出口３１の開口面積と同等か、あるいは、前記出口３１の開口面積よりも若干大きく設定してある。そして、図５において、３３は、カートリッジ本体１１ａの中心Ｏと入口３０の内側および出口３１の内側を通り、載置面２０に平行な線（二点鎖線）を示すが、この線３３よりも若干下の位置に入口３０の最下点４０が位置するよう入口３０が形成されるとともに、出口３１は、前記線３３よりも若干上の位置に出口３１の最上点４１が位置するよう形成されている。
【００１９】
また、出口３１の最下点４２の位置は入口３０の最下点４０よりも低い位置に設定されている。
【００２０】
また、入口３０の最上点４３の位置は出口３１の最上点４１よりも高い位置に設定されている。
【００２１】
これにより、排水用孔６ｂからカートリッジ本体１１ａの上部材１８の胴面Ｎ2 に至り、この胴面Ｎ2 を伝わりながら胴面Ｎ2 を下方に移動する前記排水を、出口３１よりも入口３０に流入し易くできる。
【００２２】
また、入口３０からカートリッジ本体１１ａ内に流入した前記排水にヌメリ除去剤１２が溶けてなるヌメリ除去液を、入口３０よりも出口３１にカートリッジ本体１１ａ内から流出し易くできる。
【００２３】
上述したように、前記各案内部材１１ｂは、下部材１９の胴面Ｎ1 の所定高さの位置で、かつ、Ｑ方向に沿う形で設けられている。案内部材１１ｂは、ゴミ受けカゴの底面部の直上にヌメリ除去液を案内し前記底面部に向かってヌメリ除去液を落下させるための案内部４５、ゴミ受けカゴの胴部（側面部）２ｂにヌメリ除去液を案内する案内部４４とよりなる。更に、案内部４４は、ゴミ受けカゴの胴部（側面部）２ｂに到達する程度に案内部４５よりも長手方向に長く設定されるとともに、案内部４５の傾斜面４５ａよりも若干緩やかに傾斜した傾斜面４４ａを有する。
【００２４】
一方、前記複数個の出口３１は、前記Ｑ方向に沿って、かつ、適宜の間隔を有して載置面２０に平行に配置されている。そして、出口３１から流出したヌメリ除去液の流出速度が速くても確実に傾斜面４４ａを伝わってゴミ受けカゴの胴部（側面部）２ｂに到達するように、案内部４４は、外側に案内突起部５０を有する。また、出口３１から流出したヌメリ除去液の流出速度が速くても確実に傾斜面４５ａを伝わってゴミ受けカゴの底部を一様に満たすように、案内部４５は、外側に案内突起部５１を有する。
【００２５】
上記実施形態では、入口３０の最上点４３の位置を出口３１の最上点４１よりも高い位置に設定し、入口３０の最下点４０の位置を出口３１の最下点４２よりも高い位置に設定したものを示した。
【００２６】
図６は、前記入口３０と前記出口３１を、いずれも前記カートリッジ本体１１ａの側面中央部（胴面Ｎの中央部）に対向させた状態で設けた上で、入口３０の最下点４０と出口３１の最下点４２の位置を略同一高さとし、かつ、入口３０の最上点４３の位置を出口３１の最上点４１よりも高い位置に設定してあるこの発明の第２の実施形態を示す。なお、図６において、図１〜図５に示す符号と同一のものは同一または相当物である。
【００２７】
図７は、前記入口３０と前記出口３１を、いずれも前記カートリッジ本体１１ａの側面中央部（胴面Ｎの中央部）に対向させた状態で設けた上で、入口３０の最下点４０の位置を出口３１の最下点４２よりも低く設定し、かつ、入口３０の最上点４３と出口３１の最上点４１の位置を略同一高さとしてあるこの発明の第３の実施形態を示す。なお、図７において、図１〜図６に示す符号と同一のものは同一または相当物である。
【００２８】
この実施形態のカートリッジ本体１１ａは、最下点４０の位置に入口３０より外側に突出して形成された舌部６０を有する。この舌部６０は前記載置面２０に平行な受け面６１を有する。
【００２９】
而して、胴面Ｎ2 を伝わりながら胴面Ｎ2 を下方に移動する前記排水を、最下点４０の位置に設けた舌部６０の受け面６１で受け止めて、かつ、カートリッジ本体１１ａ内に案内することができ、前記排水を効率よく入口３０からカートリッジ本体１１ａ内に流入できる。
【００３０】
【発明の効果】
以上説明したようにこの発明では、菊割れフタの排水用孔を利用してヌメリ除去液を得ることができるヌメリ除去機構を提供することができる。
【図面の簡単な説明】
【図１】  この発明の第１の実施形態を示す構成説明図である。
【図２】  上記実施形態で用いた菊割れフタの底面図である。
【図３】  上記実施形態の要部を示す分解斜視図である。
【図４】  上記実施形態の要部を示す構成説明図である。
【図５】  上記実施形態においてカートリッジの側面中央部に対向させた状態で設けた入口と出口の位置関係を示す構成説明図である。
【図６】  この発明の第２の実施形態においてカートリッジの側面中央部に対向させた状態で設けた入口と出口の位置関係を示す構成説明図である。
【図７】  この発明の第３の実施形態においてカートリッジの側面中央部に対向させた状態で設けた入口と出口の位置関係を示す構成説明図である。
【符号の説明】
１…菊割れフタ、２…ゴミ受けカゴ、６ａ，６ｂ…排水用孔、１１…カートリッジ、１２…ヌメリ除去剤、３０…入口、３１…出口、Ａ…底部、ｍ…下面。
【図１】
0003848566.tif 000002
【図２】
0003848566.tif 000003
【図３】
0003848566.tif 000004
【図４】
0003848566.tif 000005
【図５】
0003848566.tif 000006
【図６】
0003848566.tif 000007
【図７】
0003848566.tif 000008